(57)【要約】【課題】  隈取線輪型誘導電動機の固定子の構造を工夫することにより、絶縁距離を確保しつつ、固定子鉄心端面からのスロット絶縁紙の突出を小さくして、巻線の銅量を減らすことにより、低価格，軽量，小型の隈取線輪型誘導電動機を提供することが可能となる。【解決手段】  透磁性を有する鉄板を積層した固定子鉄心と、前記固定子鉄心に配置された隈取線輪と、前記固定子鉄心のスロット内に配置された絶縁性を有するスロット絶縁紙と、前記固定子鉄心に前記スロット絶縁紙を介して巻装された巻線により構成された隈取線輪型誘導電動機の固定子において、前記スロット絶縁紙は折曲加工部を有し、隈取線輪と巻線との間の絶縁を確保する。【選択図】  図１
2005013000.tif 000002
【特許請求の範囲】
【請求項１】
透磁性を有する鉄板を積層した固定子鉄心と、前記固定子鉄心に配置された隈取線輪と、前記固定子鉄心のスロット内に配置された絶縁性を有するスロット絶縁紙と、前記固定子鉄心に前記スロット絶縁紙を介して巻装された巻線により構成された隈取線輪型誘導電動機の固定子において、前記スロット絶縁紙は前記隈取線輪に近接する部分に折曲加工部を有し、かつこの折曲加工部は、前記隈取線輪と、前記巻線との間に遊挿され、前記隈取線輪と前記巻線との絶縁が得られる構成を有する隈取線輪型誘導電動機の固定子。
【請求項２】
請求項１記載の隈取線輪型誘導電動機の固定子において、スロット絶縁紙は、そのスロット絶縁紙の角部に面取りが施される構成を有する隈取線輪型誘導電動機の固定子。
【発明の詳細な説明】
【技術分野】
【０００１】
本発明は、隈取線輪型誘導電動機の固定子構造に関する。
【背景技術】
【０００２】
近年、隈取線輪型誘導電動機はその信頼性の良さ、使いやすさによりファンモータに広く使用されている。以下に従来の隈取線輪型誘導電動機の固定子について図３に基づき説明する。
【０００３】
図３において、鉄板を積層した固定子鉄心１と、前記固定子鉄心１に配置された隈取線輪２と、前記固定子鉄心１のスロット内に配置された絶縁性を有するスロット絶縁紙３と、固定子鉄心１にスロット絶縁紙３を介して巻装された巻線４とにより構成されている。
【０００４】
この構造によれば、固定子鉄心端面より突出した隈取線輪２と巻線４との絶縁距離を確保するためスロット絶縁紙の形状が大きくなっていた。このため、巻線の銅量を多くしたり、電動機の形状を大きくしたりする原因となっていた。
【発明の開示】
【発明が解決しようとする課題】
【０００５】
本発明は上記従来の問題点を解決するためのもので、スロット絶縁紙の形状を工夫することにより、巻線の銅量を減らし、小型，軽量の隈取線輪型誘導電動機を提供することを目的とする。
【課題を解決するための手段】
【０００６】
上記課題を解決するために本発明は、スロット絶縁紙の固定子鉄心からの突出寸法を小さくすることにより巻線の銅量を減らせると同時に、折曲加工部を付加して隈取線輪と巻線との間の絶縁を確保したものである。さらに、スロット絶縁紙の角部に面取りを施し、巻線作業の容易化を図ったものである。
【発明の効果】
【０００７】
隈取線輪型誘導電動機の固定子の構造を工夫することにより、絶縁距離を確保しつつ、固定子鉄心端面からのスロット絶縁紙の突出を小さくして、巻線の銅量を減らすことにより、低価格，軽量，小型の隈取線輪型誘導電動機を提供することが可能となる。
【０００８】
また、隈取線輪型誘導電動機の固定子の構造を工夫することにより、スロット開口部の絶縁距離が大きくとれ、かつ巻線時のスロット絶縁紙と巻線機ノズルとのひっかかりを防ぐことにより、巻線作業性に優れかつ品質面に優れた隈取線輪型誘導電動機を提供することが可能となる。
【発明を実施するための最良の形態】
【０００９】
上記課題を解決するために本発明は、透磁性を有する鉄板を積層した固定子鉄心と、前記固定子鉄心に配置された隈取線輪と、前記固定子鉄心のスロット内に配置された絶縁性を有するスロット絶縁紙と、前記固定子鉄心に前記スロット絶縁紙を介して巻装された巻線により構成された隈取線輪型誘導電動機の固定子において、前記スロット絶縁紙は前記隈取線輪と、前記巻線との間に遊挿された折曲加工部を有することを特徴としたものであり、スロット絶縁紙の固定子鉄心からの突出寸法を小さくすることにより巻線の銅量を減らせると同時に、折曲加工部を付加して隈取線輪と巻線との間の絶縁を確保したものである。
【００１０】
また本発明は、透磁性を有する鉄板を積層した固定子鉄心と、前記固定子鉄心に配置された隈取線輪と、前記固定子鉄心のスロット内に配置された絶縁性を有するスロット絶縁紙と、前記固定子鉄心に前記スロット絶縁紙を介して巻装された巻線により構成された隈取線輪型誘導電動機の固定子において、前記スロット絶縁紙はその角部に面取りを施したことを特徴としたものであり、巻線作業の容易化を図ったものである。
【００１１】
以下本発明の実施例について、図面を参照して説明する。各図面において、巻線のスロット間を渡る部分は、見やすくするために破線にて示している。
【実施例１】
【００１２】
図１において、透磁性を有する鉄板を積層した固定子鉄心１と、前記固定子鉄心１に配置された隈取線輪２と、前記固定子鉄心１のスロット内に配置された絶縁性を有するスロット絶縁紙３と固定子鉄心１にスロット絶縁紙３を介して巻装された巻線４とにより構成されている。前記スロット絶縁紙３は、前記隈取線輪２に近接する部分に折曲加工部３ａを備え、隈取線輪２と巻線４との絶縁を確保している。この折曲加工部３ａは、スロット絶縁紙３の隈取線輪２に近接する部分で、ほぼ９０°折り曲げられ隈取線輪２を包み込むような形状となっている。
【実施例２】
【００１３】
図２は、透磁性を有する鉄板を積層した固定子鉄心１と、前記固定子鉄心１に配置された隈取線輪２と、前記固定子鉄心１のスロット内に配置された絶縁性を有するスロット絶縁紙３と固定子鉄心１にスロット絶縁紙３を介して巻装された巻線４とにより構成され、前記スロット絶縁紙３のスロット開口部方向の寸法を長くしかつ四隅に面取りを施している。
【００１４】
面取りの形状は、Ｒ状もしくはＣ状に巻線機ノズルとの関係で最適に決められる。
【産業上の利用可能性】
【００１５】
本発明は、隈取線輪型誘導電動機の固定子の構造を工夫することにより、絶縁距離を確保しつつ、固定子鉄心端面からのスロット絶縁紙の突出を小さくして、巻線の銅量を減らすことにより、低価格，軽量，小型の隈取線輪型誘導電動機を提供することが可能となる。
【００１６】
また、隈取線輪型誘導電動機の固定子の構造を工夫することにより、スロット開口部の絶縁距離が大きくとれ、かつ巻線時のスロット絶縁紙と巻線機ノズルとのひっかかりを防ぐことにより、巻線作業性に優れかつ品質面に優れた隈取線輪型誘導電動機を提供することが可能となる。
【図面の簡単な説明】
【００１７】
【図１】本発明の実施例１における隈取線輪型誘導電動機の固定子、（ａ）平面図、（ｂ）側面図
【図２】本発明の他の実施例２における隈取線輪型誘導電動機の固定子、（ａ）平面図、（ｂ）側面図
【図３】従来の隈取線輪型誘導電動機の固定子、（ａ）平面図、（ｂ）側面図
【符号の説明】
【００１８】
１  固定子鉄心
２  隈取線輪
３  スロット絶縁紙
３ａ  折曲加工部
４  巻線
【図１】
2005013000.tif 000003
【図２】
2005013000.tif 000004
【図３】
2005013000.tif 000005